(57)【要約】【課題】キャリッジケースの厚さの増大を抑制できるとともに原稿読取位置に対する照度分布を調整することができる一体型走査光学ユニット、画像読取装置、画像形成装置を提供すること。【解決手段】基板４０５は、キャリッジケース４０７の側面部外側に配置されるとともに点光源４０１が実装され、点光源４０１からの光を原稿読取位置に導くとともに、点光源４０１に対する相対位置または姿勢の少なくとも一方を点光源４０１と原稿読取位置との相対位置の変化に応じて変更可能な反射板７０１を備えた。【選択図】図５
2012238962.tif 000002
【特許請求の範囲】
【請求項１】
原稿を照射するための点光源と、
前記原稿からの反射光を読み取るイメージセンサと、
前記イメージセンサが実装された基板と、
前記原稿からの反射光を順次反射させて前記イメージセンサに導く複数のミラーと、
前記反射光を結像させる結像レンズと、
前記点光源、前記イメージセンサ、前記複数のミラーおよび前記結像レンズを保持して副走査方向に一体的に移動可能なキャリッジケースと、を備えた一体型走査光学ユニットであって、
前記基板は、前記キャリッジケースの側面部外側に配置されるとともに前記点光源が実装され、
前記点光源からの光を原稿読取位置に導くとともに、前記点光源に対する相対位置または姿勢の少なくとも一方を前記点光源と前記原稿読取位置との相対位置の変化に応じて変更可能な導光部材を備えたことを特徴とする一体型走査光学ユニット。
【請求項２】
前記導光部材は、前記読取位置に垂直な読取光軸上に配置されて前記複数のミラーのうち前記原稿からの反射光を最初に受ける第１ミラーの上方に配置されていることを特徴とする請求項１に記載の一体型走査光学ユニット。
【請求項３】
前記導光部材は、前記基板と前記キャリッジケースの横側面との間に配置されていることを特徴とする請求項１または請求項２に記載の一体型走査光学ユニット。
【請求項４】
前記導光部材は、前記基板の背面から締結部材により螺合されて前記基板に固定され、
前記基板は、前記原稿読取位置に対して近接および離隔する方向に長径を有する長穴形状に形成されるとともに前記導光部材の固定時に前記締結部材が挿通する挿通孔を備えることを特徴とする請求項１〜請求項３の何れかに記載の一体型走査光学ユニット。
【請求項５】
前記導光部材は、前記基板の挿通孔に対向する位置に位置調整用の目盛りを有することを特徴とする請求項１〜請求項４の何れかに記載の一体型走査光学ユニット。
【請求項６】
前記導光部材は、前記読取光軸よりも前記点光源に近い側に配置され、前記点光源からの光を外面反射により原稿読取位置に導く反射板からなることを特徴とする請求項１〜請求項５の何れかに記載の一体型走査光学ユニット。
【請求項７】
前記基板上における前記点光源の周囲に、前記反射板により前記点光源の周囲に向って反射した反射光成分を外面反射により原稿読取位置に導く副反射部を備えたことを特徴とする請求項６に記載の一体型走査光学ユニット。
【請求項８】
前記導光部材は、前記読取光軸よりも前記点光源に近い側に配置され、前記点光源からの光を内部反射により原稿読取位置に導く導光板からなることを特徴とする請求項１〜請求項５の何れかに記載の一体型走査光学ユニット。
【請求項９】
前記導光板は、前記キャリッジケースに支持されることを特徴とする請求項８に記載の一体型走査光学ユニット。
【請求項１０】
前記点光源と前記導光板の間であって、前記点光源から前記導光板に向う光の経路を囲む位置に、前記点光源からの光を外面反射により前記導光板に導く反射部材を備えたことを特徴とする請求項８または請求項９に記載の一体型走査光学ユニット。
【請求項１１】
前記導光部材は、前記読取光軸を挟んで前記点光源に対向する位置で前記キャリッジケースに支持され、前記点光源からの光のうち前記対向する位置に向った光を外面反射により原稿読取位置に導く対向反射板からなることを特徴とする請求項１〜請求項３の何れかに記載の一体型走査光学ユニット。
【請求項１２】
前記対向反射板は、軸線が主走査方向の回動軸を介して前記キャリッジケースに回動可能に支持されることを特徴とする請求項１１に記載の一体型走査光学ユニット。
【請求項１３】
請求項１〜請求項１２の何れかに記載の一体型走査光学ユニットと、
前記一体型走査光学ユニットと原稿とを副走査方向に相対的に移動する移動手段と、を備えたことを特徴とする画像読取装置。
【請求項１４】
請求項１３に記載の画像読取装置と、
前記画像読取部で読み取った画像情報に基づいて記録媒体上に画像を形成する画像形成手段と、を備えたことを特徴とする画像形成装置。
【発明の詳細な説明】
【技術分野】
【０００１】
本発明は、照明系、ミラー、結像レンズなどの光学系や、ＣＣＤなどのイメージセンサをキャリッジケースに収容した一体型走査光学ユニット、およびこの一体型走査光学ユニットを搭載する画像読取装置、画像形成装置に関する。
【背景技術】
【０００２】
従来、この種の一体型走査光学ユニットとしては、副走査方向の照度分布ばらつきの低減およびフレア光の遮光を目的として、一体型走査光学ユニットの上部に照明系を配置する技術が知られている（例えば、特許文献１、２参照）。
【０００３】
具体的には、特許文献１、２の一体型走査光学ユニットにおいては、原稿を照射する点光源と、原稿からの反射光をイメージセンサに導くミラーと、反射光を結像するレンズをキャリッジケース内に備え、イメージセンサが基板に実装されるとともに板金を介してキャリッジケースの側面部外側に配置される構成となっている。また、この一体型走査光学ユニットにおいては、キャリッジケースの上部に照明系である点光源が配置されている。
【０００４】
しかし、特許文献１、２の一体型走査光学ユニットにおいては、キャリッジケースの上部に照明系が配置されているため、照明系の分だけ、一体型走査光学ユニットの厚さ、すなわち上下方向のサイズが大きくなってしまうという問題があった。
【０００５】
そこで、イメージセンサが実装された基板上に点光源を設けることで、この点光源をキャリッジケースの側面部外側に配置し、一体型走査光学ユニットの厚さの増大を抑制するようにした技術が知られている（例えば、特許文献３、４参照）。
【０００６】
これにより、キャリッジケースの上部に必要であった点光源の配置スペースを無くせるので、キャリッジケースの厚さを縮小することができ、また、ミラーの配置を効率的に行える。例えば、点光源が配置されていた領域にミラーの一部を位置させることができるようになるため、光路を稼ぐことができる。
【発明の概要】
【発明が解決しようとする課題】
【０００７】
しかしながら、特許文献３、４に記載された技術では、共通の基板上にイメージセンサと点光源の双方が実装されているため、イメージセンサの位置を調整するために基板の位置を変化させると、イメージセンサとともに点光源の位置も変化してしまうため、原稿読取位置に対する照度分布が、図２２（ａ）の適正状態から、図２２（ｂ）のように照度分布の中心が原稿読取位置からずれた非適正状態となってしまうという問題があった。
【０００８】
本発明はこのような問題を解決するためになされたもので、キャリッジケースの厚さの増大を抑制できるとともに原稿読取位置に対する照度分布を調整することができる一体型走査光学ユニット、画像読取装置、画像形成装置を提供するものである。
【課題を解決するための手段】
【０００９】
本発明に係る一体型走査光学ユニットは、原稿を照射するための点光源と、前記原稿からの反射光を読み取るイメージセンサと、前記イメージセンサが実装された基板と、前記原稿からの反射光を順次反射させて前記イメージセンサに導く複数のミラーと、前記反射光を結像させる結像レンズと、前記点光源、前記イメージセンサ、前記複数のミラーおよび前記結像レンズを保持して副走査方向に一体的に移動可能なキャリッジケースと、を備えた一体型走査光学ユニットであって、前記基板は、前記キャリッジケースの側面部外側に配置されるとともに前記点光源が実装され、前記点光源からの光を原稿読取位置に導くとともに、前記点光源に対する相対位置または姿勢の少なくとも一方を前記点光源と前記原稿読取位置との相対位置の変化に応じて変更可能な導光部材を備えたことを特徴とする。
【００１０】
この構成により、点光源とイメージセンサが実装された基板をキャリッジケースの側面部外側に配置したことにより、キャリッジケースの厚さの増大を抑制できる。また、点光源からの光を原稿読取位置に導く導光部材が点光源に対する相対位置または姿勢の少なくとも一方を変更可能であるため、原稿読取位置に対する照度分布を調整することができる。
【００１１】
したがって、キャリッジケースの厚さの増大を抑制できるとともに、原稿読取位置に対する照度分布を調整することができる。
【００１２】
また、本発明に係る一体型走査光学ユニットは、前記導光部材は、前記読取位置に垂直な読取光軸上に配置されて前記複数のミラーのうち前記原稿からの反射光を最初に受ける第１ミラーの上方に配置されていることを特徴とする。
【００１３】
この構成により、点光源から照射された光を導光部材により狙いの位置に導くことができるため、効率よく原稿面を照射することができるとともに、キャリッジケースの幅方向のサイズを小さくすることができる。
【００１４】
また、本発明に係る一体型走査光学ユニットは、前記導光部材は、前記基板と前記キャリッジケースの横側面との間に配置されていることを特徴とする。
【００１５】
この構成により、キャリッジケースの横側面とイメージセンサとの距離を離すことなく導光部材を配置できるので、キャリッジケースの移動方向（副走査方向）の幅をコンパクトにすることができる。
【００１６】
また、本発明に係る一体型走査光学ユニットは、前記導光部材は、前記基板の背面から締結部材により螺合されて前記基板に固定され、前記基板は、前記原稿読取位置に対して近接および離隔する方向に長径を有する長穴形状に形成されるとともに前記導光部材の固定時に前記締結部材が挿通する挿通孔を備えることを特徴とする。
【００１７】
この構成により、締結部材を緩めることで導光部材の位置調整を行うことができるため、原稿読取位置における点光源からの照射光の照度分布を適正な状態に保つことができる。
【００１８】
また、本発明に係る一体型走査光学ユニットは、前記導光部材は、前記基板の挿通孔に対向する位置に位置調整用の目盛りを有することを特徴とする。
【００１９】
この構成により、作業者は、締結部材を締結する側から挿通孔を介して目盛りを視認して容易かつ正確に導光部材の位置調整を行うことができる。
【００２０】
また、本発明に係る一体型走査光学ユニットは、前記導光部材は、前記読取光軸よりも前記点光源に近い側に配置され、前記点光源からの光を外面反射により原稿読取位置に導く反射板からなることを特徴とする。
【００２１】
この構成により、点光源からの光を外面反射により原稿読取位置に導く反射板により、原稿読取位置を良好に照射することができる。
【００２２】
また、本発明に係る一体型走査光学ユニットは、前記基板上における前記点光源の周囲に、前記反射板により前記点光源の周囲に向って反射した反射光成分を外面反射により原稿読取位置に導く副反射部を備えたことを特徴とする。
【００２３】
この構成により、光のロスが少なくなり光効率が向上するため、点光源の個数の削減や消費電流の低減を達成することができる。
【００２４】
また、本発明に係る一体型走査光学ユニットは、前記導光部材は、前記読取光軸よりも前記点光源に近い側に配置され、前記点光源からの光を内部反射により原稿読取位置に導く導光板からなることを特徴とする。
【００２５】
この構成により、点光源からの光を内部反射により原稿読取位置に導く導光板により、原稿読取位置を良好に照射することができる。
【００２６】
また、本発明に係る一体型走査光学ユニットは、前記導光板は、前記キャリッジケースに支持されることを特徴とする。
【００２７】
この構成により、点光源の位置が変化しても読取位置に対する導光板の位置が変化しないため、導光板の位置調整を不要とすることができる。
【００２８】
また、本発明に係る一体型走査光学ユニットは、前記点光源と前記導光板の間であって、前記点光源から前記導光板に向う光の経路を囲む位置に、前記点光源からの光を外面反射により前記導光板に導く反射部材を備えたことを特徴とする。
【００２９】
この構成により、反射部材により点光源からの光が拡散することなく導光板に導かれるため、光学調整のために点光源がキャリッジケースから離れる方向に移動して点光源と導光板との距離が離れた場合であっても、導光板に入射する光線が減少して効率が低下することを防止することができる。
【００３０】
また、本発明に係る一体型走査光学ユニットは、前記導光部材は、前記読取光軸を挟んで前記点光源に対向する位置で前記キャリッジケースに支持され、前記点光源からの光のうち前記対向する位置に向った光を外面反射により原稿読取位置に導く対向反射板からなることを特徴とする。
【００３１】
この構成により、点光源からの直接光と対向反射板からの反射光により読取光軸の両側から原稿面を良好に照射することができ、原稿が切り貼り原稿であっても、切り貼り部分に影が発生することを防止することができる。
【００３２】
また、本発明に係る一体型走査光学ユニットは、前記対向反射板は、軸線が主走査方向の回動軸を介して前記キャリッジケースに回動可能に支持されることを特徴とする。
【００３３】
この構成により、対向反射板を回動させて角度を変化させることにより、対向反射板からの反射光の方向を調整して照度分布を最適化することができる。
【００３４】
また、本発明に係る画像読取装置は、上記の一体型走査光学ユニットと、前記一体型走査光学ユニットと原稿とを副走査方向に相対的に移動する移動手段と、を備えたことを特徴とする。
【００３５】
この構成により、一体型走査光学ユニットを備えた画像読取装置において、キャリッジケースの厚さの増大を抑制できるとともに、原稿読取位置に対する照度分布を調整することができる。
【００３６】
また、本発明に係る画像形成装置は、上記の画像読取装置と、前記画像読取部で読み取った画像情報に基づいて記録媒体上に画像を形成する画像形成手段と、を備えたことを特徴とする。
【００３７】
この構成により、一体型走査光学ユニットが搭載された画像読取装置を備えた画像形成装置において、キャリッジケースの厚さの増大を抑制できるとともに、原稿読取位置に対する照度分布を調整することができる。
【発明の効果】
【００３８】
本発明によれば、キャリッジケースの厚さの増大を抑制できるとともに原稿読取位置に対する照度分布を調整することができる一体型走査光学ユニット、画像読取装置、画像形成装置を提供することができる。
【図面の簡単な説明】
【００３９】
【図１】本発明の第１の実施の形態に係る画像形成装置の概略構成を示す断面図である。
【図２】本発明の第１の実施の形態に係る画像読取装置の外観を示す斜視図である。
【図３】本発明の第１の実施の形態に係る画像読取装置の内部構成を示す斜視図である。
【図４】本発明の第１の実施の形態に係る一体型走査光学ユニットの構成を示す断面図である。
【図５】本発明の第１の実施の形態に係る一体型走査光学ユニットの反射板の構成を示す断面図である。
【図６】（ａ）、（ｂ）は、本発明の第１の実施の形態に係る一体型走査光学ユニットの反射板の固定方法をそれぞれ示す正面図および側面図である。
【図７】（ａ）、（ｂ）は、本発明の第１の実施の形態に係る一体型走査光学ユニットの反射板をそれぞれ示す正面図および側面図である。
【図８】（ａ）、（ｂ）は、本発明の第１の実施の形態に係る一体型走査光学ユニットの照度分布の適正状態および非適正状態をそれぞれ示す図である。
【図９】本発明の第１の実施の形態に係る一体型走査光学ユニットの反射板の位置調整用の目盛りを示す図である。
【図１０】本発明の第１の実施の形態に係る一体型走査光学ユニットの反射面の構成を示す断面図である。
【図１１】本発明の第２の実施の形態に係る一体型走査光学ユニットの構成を示す断面図である。
【図１２】本発明の第２の実施の形態に係る一体型走査光学ユニットにおいて基板の位置がばらついた状態を示す断面図である。
【図１３】（ａ）、（ｂ）は、本発明の第２の実施の形態に係る一体型走査光学ユニットの導光板の調整機構をそれぞれ示す正面図である。
【図１４】本発明の第２の実施の形態に係る一体型走査光学ユニットにおいて導光板をキャリッジケースに取り付けた構成を示す断面図である。
【図１５】本発明の第２の実施の形態に係る一体型走査光学ユニットにおいて導光板をキャリッジケースに取り付け、反射部材を設けた構成を示す断面図である。
【図１６】本発明の第３の実施の形態に係る一体型走査光学ユニットの構成を示す断面図である。
【図１７】（ａ）、（ｂ）は、本発明の第３の実施の形態に係る一体型走査光学ユニットにおける切り貼り原稿への直接光の照射状態を示す図である。
【図１８】本発明の第３の実施の形態に係る一体型走査光学ユニットの反射板の固定方法を示す断面図である。
【図１９】（ａ）、（ｂ）は、本発明の第３の実施の形態に係る一体型走査光学ユニットの対向反射板をそれぞれ示す正面図および側面図である。
【図２０】（ａ）、（ｂ）は、本発明の第３の実施の形態に係る一体型走査光学ユニットの対向反射板の２種類の固定方法をそれぞれ示す正面図である。
【図２１】（ａ）、（ｂ）は、本発明の第３の実施の形態に係る一体型走査光学ユニットの照度分布の非適正状態および適正状態をそれぞれ示す図である。
【図２２】（ａ）、（ｂ）は、従来の一体型走査光学ユニットの照度分布の適正状態および非適正状態をそれぞれ示す図である。
【発明を実施するための形態】
【００４０】
以下、本発明の実施の形態について、図面を参照して説明する。
【００４１】
（第１の実施の形態）
まず、図１〜図１０を参照して第１の実施の形態の構成について説明する。
【００４２】
図１に示すように、画像形成装置１００は、画像形成部１０１と、用紙供給装置４０と、原稿搬送読取ユニット１０４とを備えている。原稿搬送読取ユニット１０４は、画像形成部１０１の上に固定された画像読取部１０２と、これに支持される原稿搬送装置としてのＡＤＦ１０３とを有している。
【００４３】
用紙供給装置４０は、ペーパーバンク４１内に多段に配設された２つの給紙カセット４２、給紙カセット４２から記録媒体としての用紙を送り出す送出ローラ４３、送り出された用紙を分離して給紙路４４に供給する分離ローラ４５等を有している。また、画像形成装置１００の給紙路３７に用紙を搬送する複数の搬送ローラ４６等も有している。そして、給紙カセット４２内の用紙を画像形成装置１００内の給紙路３７内に給紙するようになっている。
【００４４】
画像形成部１０１は、光書込装置２や、Ｋ、Ｙ、Ｍ、Ｃ色のトナー像を形成する４つのプロセスユニット３Ｋ、３Ｙ、３Ｍ、３Ｃ、中間転写ベルト２５を有する転写ユニット２４、紙搬送ユニット２８、レジストローラ対３３、定着装置３４、排紙ローラ対３５、スイッチバック装置３６、給紙路３７等を備えている。
【００４５】
そして、光書込装置２内に配設された図示しないレーザーダイオードやＬＥＤ等の光源を駆動して、プロセスユニット３Ｋ、３Ｙ、３Ｍ、３Ｃの感光体４Ｋ、４Ｙ、４Ｍ、４Ｃに向けてレーザー光Ｌを照射する。
【００４６】
このレーザー光の照射により、ドラム状の感光体４Ｋ、４Ｙ、４Ｍ、４Ｃの表面には静電潜像が形成され、この静電潜像は所定の現像プロセスを経由してトナー像に現像される。なお、符号の後に付されたＫ、Ｙ、Ｍ、Ｃという添字は、ブラック、イエロー、マゼンタ、シアン用の仕様であることを示している。
【００４７】
上記構成の画像形成装置１００において、各感光体４Ｋ、４Ｙ、４Ｍ、４Ｃの表面に形成されたトナー像は、図中時計回り方向に無端移動する中間転写ベルト２５に順次重ね合わせて１次転写される。
【００４８】
この１次転写により、中間転写ベルト２５には４色重ね合わせのカラートナー像が形成される。また、用紙供給装置４０から供給された用紙が、レジストローラ対３３により所定のタイミングで、紙搬送ユニット２８と中間転写ベルト２５との間で形成された２次転写ニップに送り出され、中間転写ベルト２５上のカラートナー像が用紙に一括２次転写される。
【００４９】
２次転写ニップを通過した用紙は、中間転写ベルト２５から離間して定着装置３４へ搬送される。定着装置３４に搬送された用紙は、定着装置３４内における加圧や加熱によってフルカラー画像が定着された後、定着装置３４から排紙ローラ対３５に送られた後、機外へと排出される。なお、画像形成部１０１は、図１に示すような電子写真方式の構成に限定されるものではなく、インクジェット記録方式等の構成であってもよい。
【００５０】
画像形成部１０１の上に配置された画像読取部１０２は、原稿４０６に光を照射して反射光を読み取る一体型走査光学ユニット３０１を備えている。一体型走査光学ユニット３０１は、原稿４０６に接触するように画像読取部１０２のスキャナカバー部２０１（図２参照）に固定されたコンタクトガラス２０３の直下に副走査方向（図の左右方向）に移動可能に配設されている。
【００５１】
一体型走査光学ユニット３０１は、光源、反射ミラー、イメージセンサを１つのユニットに一体化したものであり、ＡＤＦ１０３によって搬送される原稿４０６の画像を読み取る場合には、図中Ａの位置に移動して停止した状態で、ＡＤＦ１０３によって搬送される原稿４０６がコンタクトガラス２０３上を通過する際に光源から発した光を原稿面で順次反射させながら、複数の反射ミラーを経由させて撮像手段としてのＣＣＤで原稿４０６の画像を読み取る。
【００５２】
一方、コンタクトガラス２０３上に載置された原稿４０６の画像を読み取る場合には、一体型走査光学ユニット３０１は、図中Ａの位置から右側に移動しながら、光源から発した光をコンタクトガラス２０３上に載置された原稿４０６で反射させ、複数の反射ミラーや結像レンズなどを経由させて撮像手段としてのＣＣＤで原稿４０６の画像を読み取る。
【００５３】
図２、図３に示すように、画像読取部１０２は、スキャナカバー部２０１と、画像読取部１０２の側面および下面を構成する筺体としてのスキャナフレーム部２０２と、を備えている。
【００５４】
スキャナカバー部２０１は、画像読取部１０２の上面を構成するものであり、原稿を載置するコンタクトガラス２０３を備えている。画像読取部１０２の内部には、一体型走査光学ユニット３０１と、この一体型走査光学ユニット３０１を副走査方向に移動するためのガイドロッド３０２およびレール３０３が設けられている。一体型走査光学ユニット３０１の内部には、図示しない照明、レンズ、ＣＣＤ、ミラーが保持されている。
【００５５】
以下、本発明の要部である一体型走査光学ユニット３０１の詳細について説明する。
【００５６】
図４に示すように、一体型走査光学ユニット３０１は、原稿４０６に光を照射するＬＥＤ等からなる点光源４０１と、原稿４０６からの反射光をイメージセンサ４０４に導くミラー４０２ａ〜４０２ｅと、反射光を結像するレンズ４０３と、これら点光源４０１、ミラー４０２ａ〜４０２ｅおよびレンズ４０３を直接的または間接的に保持して収容する筺体としてのキャリッジケース４０７と、を備えている。
【００５７】
点光源４０１およびイメージセンサ４０４は、共通の基板４０５の同一平面（図中右側の面）の上端近傍および下端近傍にそれぞれ表面実装されて固定されている。基板４０５は、板金４０８を介してキャリッジケース４０７の側面部外側に固定されている。点光源４０１は、主走査方向（図４の紙面を貫く方向）に所定間隔で複数個配列されている。
【００５８】
このため、従来はキャリッジケース４０７の上部に必要であった点光源４０１の配置スペースを無くせるので、キャリッジケース４０７の厚さを縮小することができ、さらに、ミラー４０２ａ〜４０２ｅの配置を効率的に行うことができる。例えば、第４のミラー４０２ｄは、従来は点光源４０１が配置されていた領域に配置させることができるようになったため、光路を稼ぐことができる。なお、所望の光路長になるように、ミラー４０２ｄの位置に合わせて、ミラー４０２ｄおよび他のミラー４０２ａ〜４０２ｃ、４０２ｅの角度を設定すればよい。
【００５９】
図５に示すように、点光源４０１は、図の右側面が発光面のトップビュータイプであり、図の左から右に向けて放射状に発光する。そして、点光源４０１の発光方向前方には、点光源４０１からの光を効率的に照射面に導くための導光部材として、点光源４０１からの光を原稿面へ反射させる反射板７０１が設けられており、この反射板７０１は、基板４０５に支持されている。
【００６０】
反射板７０１は、外面反射により光を対象物まで導くものであり、基板４０５に固定される平面形状の固定面７０１ａと、点光源４０１からの光を原稿面上に反射する湾曲形状の反射面部７０１ｂと、を有している。反射面部７０１ｂの先端（固定面７０１ａと反対の側）は、点光源４０１の光軸（最も強い光）よりも原稿側に位置している。なお、反射面部７０１ｂにおける、点光源４０１の光軸上から原稿側領域は、読み取り光軸に向く形状となっている。
【００６１】
また、反射面部７０１ｂは、基板４０５とキャリッジケース４０７との間に配置されている。ここで、反射面部７０１ｂはキャリッジケース４０７に向けて膨出する形状であるため、反射面部７０１ｂの形状に沿ってキャリッジケース４０７の側面の上端部４０７ａも内側に向けて湾曲させている。このようにすることで、キャリッジケース４０７の左側面とイメージセンサ４０４との距離を離すことなく、反射板７０１を配置できるので、キャリッジケース４０７の移動方向（副走査方向）の幅をコンパクトにすることができる。
【００６２】
反射板７０１は、固定面７０１ａを基板４０５（点光源４０１の実装面と同じ面）に対向させた状態で、ねじ等の締結部材７００により基板４０５に締結および固定されている。締結部材７００は、反射板７０１が設けられている側と反対側（図中の基板４０５の左側）から締結するようになっているため、基板４０５をキャリッジケース４０７から取り外すことなく、反射板７０１のみを基板４０５から取外したり位置変更することが容易となっている。
【００６３】
図６に示すように、基板４０５は、点光源４０１の配列方向と直交する方向（図中の上下方向）、すなわち原稿読取位置に対して近接および離隔する方向に長径を有する長穴形状の挿通孔７０４を有している。また、図７に示すように、反射板７０１の平面形状の固定面７０１ａは、点光源４０１の配列方向の両側の２箇所に円形の雌ねじ部７０３を有している。なお、雌ねじ部７０３は、２箇所に限らず中央部を加えた３箇所設けられていてもよい。
【００６４】
反射板７０１の雌ねじ部７０３と基板４０５の挿通孔７０４は、基板４０５と反射板７０１とを重ね合わせたときに一致する。そして、反射板７０１は、基板４０５の裏面よりねじ等の締結部材７００で締結することで基板４０５に固定される。また、固定した後は、締結部材７００を緩めることで、基板４０５に対する反射板７０１の位置を、挿通孔７０４に沿って上下方向に移動することができ、所望の反射板７０１の位置で締結部材７００を再度締結することが可能となる。
【００６５】
ここで、本実施の形態においては、イメージセンサ４０４と点光源４０１の両方が基板４０５に実装されているため、調整のためにイメージセンサ４０４の位置を上下に変位させた場合、イメージセンサ４０４とともに点光源４０１の位置も変化し、照射面に対する点光源４０１および反射板７０１の位置関係が変化してしまう。
【００６６】
すなわち、図８（ａ）に示すように、照度分布の中心が原稿の読取位置に一致している適正な状態から、図８（ｂ）に示すように、照度分布の中心が原稿の読取位置からずれた状態に、変化してしまう。
【００６７】
そこで、図８（ｂ）のように点光源４０１の照度分布にずれが発生していた場合、反射板７０１を基板４０５に固定している締結部材７００を一旦緩めた上で、図８（ａ）のように、照度分布の中心が原稿の読取位置に一致している適正な状態となるよう、反射板７０１を垂直方向（上下方向）に移動した後、締結部材７００を再度締結して反射板７０１を基板４０５に固定する。これにより、原稿の読取位置に対する点光源４０１の照度分布のずれを容易に修正することができる。
【００６８】
図９に示すように、反射板７０１の固定面７０１ａにおける基板４０５と対向する面には、反射板７０１の雌ねじ部７０３を挟む上下方向（垂直方向）に位置調整用の目盛り７０１ｃが設けられている。この目盛り７０１ｃは、例えば、雌ねじ部７０３からの距離を１ｍｍ毎に記したものであり、反射板７０１を基板４０５に固定した状態で基板４０５の挿通孔７０４から視認できる位置に配置されている。このため、目盛り７０１ｃは、キャリッジケース４０７の外側（図５の左側および図９の手前側）から挿通孔７０４を介して視認できるので、基板４０５に対する反射板７０１の位置を容易に把握することができる。したがって、作業者は、この目盛り７０１ｃを見ながら反射板７０１の位置および移動量を調整することができるので、容易かつ正確に反射板７０１の位置調整を行うことができる。
【００６９】
図１０に示すように、点光源４０１の近傍の基板４０５上に、光を反射する反射面７０６を設け、この反射面７０６により、反射板７０１の反射面部７０１ｂから基板４０５に向かって反射した光を原稿面に反射させるようにしてもよい。具体的には、反射面７０６としてのシルク印刷層をシルク印刷により基板４０５上に形成したり、または、光を反射するシート形状の部材を反射面７０６として基板４０５上に貼付することができる。なお、反射面７０６は、点光源４０１の配列方向に幅をもって設けられている。
【００７０】
基板４０５上に反射面７０６を設けることにより、光のロスが少なくなり光効率が向上するため、点光源４０１の個数の削減や消費電流の低減を達成することができる。
【００７１】
なお、本実施の形態では、点光源４０１としてトップビュータイプのものを使用しているが、サイドビュータイプであっても構わない。サイドビュータイプの点光源４０１を用いる場合、点光源４０１の配光特性にあわせて反射面部７０１ｂの形状および位置を適宜設定するとともに、反射面７０６を、基板４０５上の点光源４０１の発光方向の面のみに設ければよい。
【００７２】
以上のように、本実施の形態に係る一体型走査光学ユニット３０１においては、基板４０５は、キャリッジケース４０７の側面部外側に配置されるとともに点光源４０１が実装され、点光源４０１からの光を原稿読取位置に導くとともに、点光源４０１に対する相対位置または姿勢の少なくとも一方を点光源４０１と原稿読取位置との相対位置の変化に応じて変更可能な反射板７０１を備えたことを特徴とする。
【００７３】
この構成により、点光源４０１とイメージセンサ４０４が実装された基板４０５をキャリッジケース４０７の側面部外側に配置したことにより、キャリッジケース４０７の厚さの増大を抑制できる。また、点光源４０１からの光を原稿読取位置に導く反射板７０１が点光源４０１に対する相対位置または姿勢の少なくとも一方を変更可能であるため、原稿読取位置に対する照度分布を調整することができる。
【００７４】
したがって、キャリッジケース４０７の厚さの増大を抑制できるとともに、原稿読取位置に対する照度分布を調整することができる。
【００７５】
また、本実施の形態に係る一体型走査光学ユニット３０１においては、反射板７０１は、読取位置に垂直な読取光軸上に配置され原稿からの反射光を最初に受ける第１のミラー４０２ａの上方に配置されていることを特徴とする。
【００７６】
この構成により、点光源４０１から照射された光を反射板７０１により狙いの位置に導くことができるため、効率よく原稿面を照射することができるとともに、キャリッジケース４０７の幅方向のサイズを小さくすることができる。
【００７７】
また、本実施の形態に係る一体型走査光学ユニット３０１においては、反射板７０１は、基板４０５とキャリッジケース４０７の横側面との間に配置されていることを特徴とする。
【００７８】
この構成により、キャリッジケース４０７の横側面とイメージセンサ４０４との距離を離すことなく反射板７０１を配置できるので、キャリッジケース４０７の移動方向（副走査方向）の幅をコンパクトにすることができる。
【００７９】
また、本実施の形態に係る一体型走査光学ユニット３０１においては、反射板７０１は、基板４０５の背面から締結部材７００により螺合されて基板４０５に固定され、基板４０５は、原稿読取位置に対して近接および離隔する方向に長径を有する長穴形状に形成されるとともに反射板７０１の固定時に締結部材７００が挿通する挿通孔７０４を備えることを特徴とする。
【００８０】
この構成により、締結部材７００を緩めることで反射板７０１の位置調整を行うことができるため、原稿読取位置における点光源４０１からの照射光の照度分布を適正な状態に保つことができる。
【００８１】
また、本実施の形態に係る一体型走査光学ユニット３０１においては、反射板７０１は、基板４０５の挿通孔７０４に対向する位置に位置調整用の目盛り７０１ｃを有することを特徴とする。
【００８２】
この構成により、作業者は、締結部材７００を締結する側から挿通孔７０４を介して目盛り７０１ｃを視認して容易かつ正確に反射板７０１の位置調整を行うことができる。
【００８３】
また、本実施の形態に係る一体型走査光学ユニット３０１においては、導光部材として、読取光軸よりも点光源４０１に近い側に配置され、点光源４０１からの光を外面反射により原稿読取位置に導く反射板７０１を用いることを特徴とする。
【００８４】
この構成により、点光源４０１からの光を外面反射により原稿読取位置に導く反射板７０１により、原稿読取位置を良好に照射することができる。
【００８５】
また、本実施の形態に係る一体型走査光学ユニット３０１においては、基板４０５上における点光源４０１の周囲に、反射板７０１により点光源４０１の周囲に向って反射した反射光成分を外面反射により原稿読取位置に導く副反射部として反射面７０６を備えたことを特徴とする。
【００８６】
この構成により、光のロスが少なくなり光効率が向上するため、点光源４０１の個数の削減や消費電流の低減を達成することができる。
【００８７】
また、本実施の形態に係る画像読取装置としての原稿搬送読取ユニット１０４は、上記の一体型走査光学ユニット３０１と、この一体型走査光学ユニット３０１と原稿４０６とを副走査方向に相対的に移動する移動手段としてのＡＤＦ１０３、またはガイドロッド３０２およびレール３０３を備えたことを特徴とする。
【００８８】
この構成により、一体型走査光学ユニット３０１を備えた原稿搬送読取ユニット１０４において、キャリッジケース４０７の厚さの増大を抑制できるとともに、原稿読取位置に対する照度分布を調整することができる。
【００８９】
また、本実施の形態に係る画像形成装置１００は、画像読取装置としての原稿搬送読取ユニット１０４と、原稿搬送読取ユニット１０４で読み取った画像情報に基づいて記録媒体上に画像を形成する画像形成手段としての画像形成部１０１と、を備えたことを特徴とする。
【００９０】
この構成により、一体型走査光学ユニット３０１が搭載された原稿搬送読取ユニット１０４を備えた画像形成装置１００において、キャリッジケース４０７の厚さの増大を抑制できるとともに、原稿読取位置に対する照度分布を調整することができる。
【００９１】
（第２の実施の形態）
第２の実施の形態について説明する。なお、第２の実施の形態は、点光源４０１の光を導光板により原稿４０６の照射面に導くようにした点において第１の実施の形態と異なっており、第１の実施の形態と同様の構成については同一の符号を用いるとともに詳細な説明を省略する。
【００９２】
図１１に示すように、本実施の形態の一体型走査光学ユニット３０１においては、トップビュータイプの点光源４０１からの光を効率的に照射面に導くための導光部材として、図１０の反射板７０１に代えて、導光板６０１を備えている。
【００９３】
導光板６０１は、内部反射により光を対象物まで導くものであり、基板４０５に固定されるようになっている。導光板６０１は、点光源４０１からの光を入射する入射面６０１ａと、点光源４０１からの光を原稿面上に反射する反射面部６０１ｂと、原稿へ向けて光を射出する射出面６０１ｃと、基板４０５に固定される固定面６０１ｄと、固定面６０１ｄと入射面６０１ａとを連結および支持する支持部６０１ｅと、を有している。
【００９４】
また、導光板６０１の射出面６０１ｃ側は、キャリッジケース４０７の左側面より内側（図中右側）に入り込んでおり、第１のミラー４０２ａの真上に配置されている。これにより、導光板６０１内での内部反射により、点光源４０１から照射された光を狙いの位置に導くことができるため、効率よく原稿面を照射することができるとともに、幅方向のサイズを小さくすることができる。
【００９５】
導光板６０１は、その固定面６０１ｄを基板４０５の点光源４０１の実装面（図中右側の面）に対向させた状態で、基板４０５の点光源４０１の実装面と反対の面（図中左側の面）からねじ等の締結部材６０２の締結により基板４０５に固定されている。このように、導光板６０１が設けられている側と反対側から締結部材６０２を締結して導光板６０１を固定するようになっているため、基板４０５を取り外すことなく、導光板６０１のみの取外しおよび位置変更を容易に行うことができる。
【００９６】
なお、基板４０５への導光板６０１の固定方法は、締結部材６０２による締結に限定されるものではなく、例えば、両面テープまたは接着材を用いて導光板６０１を基板４０５に固定するようにしてもよい。
【００９７】
ここで、一体型走査光学ユニット３０１においては、ミラー４０２ａ〜４０２ｅやレンズ４０３はキャリッジケース４０７に保持されるが、キャリッジケース４０７の部品ばらつき（部品精度）によっては、点光源４０１から照射される光が狙いの光路とはならず光学調整が必要になる場合がある。光学調整方法としては、ミラー４０２ａ〜４０２ｅの位置を調整する方法や、イメージセンサ４０４の位置を調整する方法があるが、調整時間の短縮や調整のし易さの点において有利なことから、イメージセンサ４０４の位置を調整する方法が一般的である。
【００９８】
図１２に示すように、第５のミラー４０２ｅが設置された角度が、キャリッジケース４０７の部品ばらつきによって狙いの角度からずれた場合、理想的な副走査方向の位置を読み取るためには、イメージセンサ４０４は、図１１における位置よりも上方に配置される必要があるため、この調整を行うとイメージセンサ４０４が実装された基板４０５は上側に変位することとなる。
【００９９】
本実施の形態では、基板４０５に点光源４０１を取り付けているため、基板４０５を上側に変位させると、点光源４０１から照射された光の原稿面照度分布が変化してしまう。
【０１００】
すなわち、第１の実施の形態と同様、図８（ａ）に示すように、照度分布の中心が原稿の読取位置に一致している適正な状態から、図８（ｂ）に示すように、照度分布の中心が原稿の読取位置からずれた状態（左側にピークを持った分布）に、変化してしまう。図８（ｂ）のように読取位置の近傍で傾斜を持った照度分布は読取画像の濃度ムラの原因となってしまうため望ましくない。
【０１０１】
そこで、図１３（ａ）、図１３（ｂ）に示すように、基板４０５は、点光源４０１の配列方向と直交する方向（図中の上下方向）に長径を有する長穴形状の挿通孔６０４を有している。そして、導光板６０１は、基板４０５の裏面よりねじ等の締結部材６０２を挿通孔６０４に差し込んで締結することで基板４０５に固定される。また、固定した後は、締結部材６０２を緩めることで、図１３（ｂ）に示すように、基板４０５に対する導光板６０１の位置を、挿通孔６０４に沿って上下方向に移動して調整することができ、所望の導光板６０１の位置で締結部材６０２を再度締結することが可能となる。
【０１０２】
これにより、コンタクトガラス２０３に対する導光板６０１の位置を調整することができるため、光学調整によって点光源４０１の位置が理想的な位置からずれてしまっても最適な照度分布を得ることができる。なお、導光板６０１の入射面６０１ａから点光源４０１が外れてしまわないように、基板４０５の調整代を考慮した分だけ導光板６０１の入射面６０１ａを大きくしておき、導光板６０１の調整可能な全ての範囲で点光源４０１からの光を入射面６０１ａが捉えることができるようにすることが望ましい。
【０１０３】
なお、本実施の形態においても、導光板６０１における基板４０５と対向する面に、図９と同様の目盛り７０１ｃを設けることにより、作業者は、導光板６０１の位置および移動量を調整することができるので、容易かつ正確に導光板６０１の位置調整を行うことができる。
【０１０４】
また、図１４に示すように、導光板６０１と同様の構成および機能を有する導光板１００１を、基板４０５ではなくキャリッジケース４０７に取り付けるよう構成してもよい。図１１のように基板４０５に導光板６０１を取り付けた場合、基板４０５の位置の調整に応じて導光板６０１の位置を調整する必要があるが、図１４のように導光板１００１をキャリッジケース４０７に取り付けた場合、コンタクトガラス２０３上の読取位置に対する導光板１００１の位置が光学調整によって変化することがないため、導光板１００１の位置調整を不要とすることができる。
【０１０５】
したがって、図１１の構成で導光板６０１の位置を調整する場合と比べて、導光板１００１の位置調整が不要な分だけ組立時間を短くすることができるため、生産コストを低減することができる。また、図１１の構成の導光板６０１の固定面６０１ｄおよび支持部６０１ｅが不要になるので、図１４の構成では導光板１００１の形状が複雑になることを防止することができる。
【０１０６】
なお、導光板１００１のキャリッジケース４０７に取り付けるための構成に関しては、図１４に示すように、導光板１００１をキャリッジケース４０７の左側面の上端部４０７ａに載置して固定または係止する構成に限らず、例えば、キャリッジケース４０７における導光板６０１と対向する部位を導光板６０１の対向面に沿った形状にしておいて、導光板１００１をキャリッジケース４０７に固定または係止する構成としてもよい。
【０１０７】
一体型走査光学ユニット３０１においては、レンズ４０３の共役長がばらついた場合、ＭＴＦの低下や倍率誤差が発生してしまう。そこで、図１５に示すように、キャリッジケース４０７に対する板金４０８の取付位置を変更することにより、レンズ４０３およびイメージセンサ４０４の位置をキャリッジケース４０７に対して副走査方向（図１５では左方向）に調整して、ＭＴＦや倍率を合わせることとなる。
【０１０８】
本実施の形態では、基板４０５にイメージセンサ４０４と点光源４０１の双方を取り付けているため、イメージセンサ４０４をキャリッジケース４０７から離れる方向に移動すると、点光源４０１もキャリッジケース４０７から離れる方向に移動してしまい、点光源４０１と導光板１００１との距離が離れてしまうため、コンタクトガラス２０３上の読取位置に対する導光板１００１の位置は変化しないものの、導光板１００１に入射する光線が少なくなり効率が低下してしまう。
【０１０９】
そこで、導光板１００１と点光源４０１の間に反射部材１１０１を設けることにより、点光源４０１から発散してしまう光線も反射部材１１０１によって導光板１００１の入射面に導くことができる。
【０１１０】
なお、本実施の形態では、点光源４０１としてトップビュータイプのものを使用しているが、サイドビュータイプであっても構わない。サイドビュータイプの点光源４０１を用いる場合、点光源の配光特性にあわせて導光板６０１、１００１の形状をおよび位置を適宜設定すればよい。
【０１１１】
以上のように、本実施の形態に係る一体型走査光学ユニット３０１においては、導光部材として、読取光軸よりも点光源４０１に近い側に配置され、点光源４０１からの光を内部反射により原稿読取位置に導く導光板６０１、１００１を用いることを特徴とする。
【０１１２】
この構成により、点光源４０１からの光を内部反射により原稿読取位置に導く導光板６０１、１００１により、原稿読取位置を良好に照射することができる。
【０１１３】
また、本実施の形態に係る一体型走査光学ユニット３０１においては、導光板１００１は、キャリッジケース４０７に支持されることを特徴とする。
【０１１４】
この構成により、点光源４０１の位置が変化しても読取位置に対する導光板１００１の位置が変化しないため、導光板１００１の位置調整を不要とすることができる。
【０１１５】
また、本実施の形態に係る一体型走査光学ユニット３０１においては、点光源４０１と導光板１００１の間であって、点光源４０１から導光板１００１に向う光の経路を囲む位置に、点光源４０１からの光を外面反射により導光板１００１に導く反射部材１１０１を備えたことを特徴とする。
【０１１６】
この構成により、反射部材１１０１により点光源４０１からの光が拡散することなく導光板１００１に導かれるため、光学調整のために点光源４０１がキャリッジケース４０７から離れる方向に移動して点光源４０１と導光板１００１との距離が離れた場合であっても、導光板１００１に入射する光線が減少して効率が低下することを防止することができる。
【０１１７】
（第３の実施の形態）
第３の実施の形態について説明する。なお、第３の実施の形態は、点光源４０１の光を対向反射板により原稿４０６の照射面に導くようにした点において第１および第２の実施の形態と異なっており、第１および第２の実施の形態と同様の構成については同一の符号を用いるとともに詳細な説明を省略する。
【０１１８】
図１６に示すように、本実施の形態の一体型走査光学ユニット３０１においては、トップビュータイプの点光源４０１からの光を効率的に照射面に導くための導光部材として、図１０の反射板７０１、図１１、図１５の導光板６０１、１００１に代えて、対向反射板５０１を備えている。
【０１１９】
対向反射板５０１は、外面反射により光を対象物まで導くものであり、点光源４０１の光軸を挟んだ対向部分における、キャリッジケース４０７の端部に取り付けられており、点光源４０１から照射された光のうち対向反射板５０１が受けた光線を原稿面に向けて反射させるものである。
【０１２０】
対向反射板５０１を設けることにより、点光源４０１からの直接光と、対向反射板５０１からの反射光によって、原稿４０６が切り貼り原稿であっても、光軸の両側から原稿面を良好に照射することができる。
【０１２１】
すなわち、点光源４０１からの直接光は、原稿４０６の読み取り位置において、図１７（ａ）に示すように、切り貼り原稿である原稿４０６上の切り貼り部４０６ａの手前側端部の段差部を照射することができるが、図１７（ｂ）に示すように、切り貼り部４０６ａの厚みによりその奥側端部の段差の背後を照射することができず、点光源４０１からの直接光だけでは切り貼り部４０６ａの奥側背後に影ができてしまう場合があるため、本実施の形態では、対向反射板５０１を設けることにより、切り貼り部４０６ａの奥側背後に影が発生することを防止することができる。
【０１２２】
対向反射板５０１をキャリッジケース４０７に固定する構成としては、図１６のように直接的な固定方法に限らず、図１８に示すように、対向反射板５０１をその姿勢を変更可能にキャリッジケース４０７に固定するようにしてもよい。
【０１２３】
図１８において、対向反射板５０１は、その下側端部にキャリッジケース４０７に軸支される回動支点５０２を有するとともに、主走査方向の両端部にイモねじ５０３が螺合されており、イモねじ５０３の螺合量を増減することにより回動支点５０２を回動中心とした姿勢変化、すなわち図中のα方向の角度変化を行うことで、照度分布を最適化するよう、点光源４０１から受けた光の反射方向を調整することができるようになっている。
【０１２４】
図１９（ａ）、図１９（ｂ）に示すように、対向反射板５０１は、対向反射板５０１の主走査方向（図１９（ａ）の左右方向）の両端の下端部にそれぞれ回動支点５０２を有している。この回動支点５０２は、キャリッジケース４０７との寸法公差を緩い締りばめの状態とすることで、半嵌合の状態でキャリッジケース４０７により軸支されているため、対向反射板５０１は、自重や軽振動によっては姿勢が変化することがなく、且つ、キャリッジケース４０７に対して回動可能となっている。また、対向反射板５０１は、原稿照射に必要な範囲５０４の外側である主走査方向両端部であって回動支点５０２よりも上側に、イモねじ５０３が螺合される螺合穴５０７をそれぞれ有している。
【０１２５】
なお、イメージセンサ４０４の位置調整時等に対向反射板５０１の姿勢が変化してしまうことのないように、図２０（ａ）に示すように、対向反射板５０１の主走査方向両端部を板ばね５０５でそれぞれ固定したり、または、図２０（ｂ）に示すように、対向反射板５０１の主走査方向両端部を粘着テープ類５０６でそれぞれ固定する構成とすると好適である。
【０１２６】
ここで、一体型走査光学ユニット３０１においては、ミラー４０２ａ〜４０２ｅやレンズ４０３はキャリッジケース４０７に保持されるが、キャリッジケース４０７の部品ばらつき（部品精度）によっては、点光源４０１から照射される光が狙いの光路とはならず光学調整が必要になる場合がある。光学調整方法としては、ミラー４０２ａ〜４０２ｅの位置を調整する方法や、イメージセンサ４０４の位置を調整する方法があるが、調整時間の短縮や調整のし易さの点において有利なことから、イメージセンサ４０４の位置を調整する方法が一般的である。
【０１２７】
イメージセンサ４０４の位置の調整のために基板４０５の位置を変更すると、本実施の形態の場合、基板４０５に点光源４０１が実装されているため、原稿４０６の照射面に対する点光源４０１の位置関係も変わってしまう。このため、原稿読取位置における点光源４０１からの照射光の照度分布がずれてしまう。すなわち、図２１（ａ）に示すように、点光源４０１からの照射光のうちの直接光成分と対向反射板成分の和である全体の照度分布の中心が狙いの光軸からずれた非適正状態となってしまう。
【０１２８】
そこで、本実施の形態では、対向反射板５０１の姿勢の調整、すなわち角度調整を行うことにより、図２１（ｂ）に示すように、点光源４０１からの照射光のうちの対向反射板成分の照度分布を調整し、狙いの光軸に全体の照度分布の中央部分を一致または近づけて適性状態とすることができる。
【０１２９】
以上のように、本実施の形態に係る一体型走査光学ユニット３０１においては、導光部材として、読取光軸を挟んで点光源４０１に対向する位置でキャリッジケース４０７に支持され、点光源４０１からの光のうち上記対向する位置に向った光を外面反射により原稿読取位置に導く対向反射板５０１を用いることを特徴とする。
【０１３０】
この構成により、点光源４０１からの直接光と対向反射板５０１からの反射光により読取光軸の両側から原稿面を良好に照射することができ、原稿４０６が切り貼り原稿であっても、切り貼り部分に影が発生することを防止することができる。
【０１３１】
また、本実施の形態に係る一体型走査光学ユニット３０１においては、対向反射板５０１は、軸線が主走査方向の回動軸である回動支点５０２を介してキャリッジケース４０７に回動可能に支持されることを特徴とする。
【０１３２】
この構成により、対向反射板５０１を回動させて角度を変化させることにより、対向反射板５０１からの反射光の方向を調整して照度分布を最適化することができる。
【符号の説明】
【０１３３】
１００  画像形成装置
１０１  画像形成部（画像形成手段）
１０２  画像読取部
１０３  ＡＤＦ（移動手段）
１０４  原稿搬送読取ユニット（画像読取装置）
２０１  スキャナカバー部
２０２  スキャナフレーム部
２０３  コンタクトガラス
３０１  一体型走査光学ユニット
３０２  ガイドロッド（移動手段）
３０３  レール（移動手段）
４０１  点光源
４０２ａ〜４０２ｅ  ミラー
４０３  レンズ
４０４  イメージセンサ
４０５  基板
４０６  原稿
４０６ａ  切り貼り部
４０７  キャリッジケース
４０７ａ  上端部
４０８  板金
５０１  対向反射板
５０２  回動支点（回動軸）
５０３  イモねじ
５０４  原稿照射に必要な範囲
５０５  板ばね
５０６  粘着テープ類
５０７  螺合穴
６０１、１００１  導光板（導光部材）
６０１ａ  入射面
６０１ｂ  反射面部
６０１ｃ  射出面
６０１ｄ  固定面
６０１ｅ  支持部
６０２  締結部材
６０４  挿通孔
７００  締結部材
７０１  反射板（導光部材）
７０１ａ  固定面
７０１ｂ  反射面部
７０３  雌ねじ部
７０４  挿通孔
７０６  反射面（副反射部）
１００１  導光板（導光部材）
１１０１  反射部材
【先行技術文献】
【特許文献】
【０１３４】
【特許文献１】特開２０１０−００４３６５号公報
【特許文献２】特開２０１０−００２７３１号公報
【特許文献３】特開２００９−１４１６８１号公報
【特許文献４】特開２０１０−２２６７３３号公報
【図１】
2012238962.tif 000003
【図２】
2012238962.tif 000004
【図３】
2012238962.tif 000005
【図４】
2012238962.tif 000006
【図５】
2012238962.tif 000007
【図６】
2012238962.tif 000008
【図７】
2012238962.tif 000009
【図８】
2012238962.tif 000010
【図９】
2012238962.tif 000011
【図１０】
2012238962.tif 000012
【図１１】
2012238962.tif 000013
【図１２】
2012238962.tif 000014
【図１３】
2012238962.tif 000015
【図１４】
2012238962.tif 000016
【図１５】
2012238962.tif 000017
【図１６】
2012238962.tif 000018
【図１７】
2012238962.tif 000019
【図１８】
2012238962.tif 000020
【図１９】
2012238962.tif 000021
【図２０】
2012238962.tif 000022
【図２１】
2012238962.tif 000023
【図２２】
2012238962.tif 000024